(57)【要約】      （修正有）【課題】レンズの下縁を吊支するバンドの本来の強度を発揮させ、より確実に安心して使用できるバンド止着構造を持ったハーフリム眼鏡のレンズ止着機構を提案する事。【解決手段】レンズ１のヤゲン溝１１・バンド溝１２に平行して穿設された2つのバンド嵌挿孔を有するレンズ止着部５を形成し、バンド４にキズがつかずにレンズを確実に吊支する。【効果】レンズ止着部にバンドを嵌挿してバンドを下方に延出させる事により、従来あった、リムの角にバンドが当たりキズが付き、最終的に切断するという事がなく、バンドの本来持っている強度を発揮する事ができるので、安心して確実にレンズを吊支する事ができる。【選択図】図１
2004205612.tif 000002
【特許請求の範囲】
【請求項１】
上縁にヤゲン溝１１、下縁にバンド溝１２が形成されたレンズ１・１を、内側面に嵌合溝２２が形成されたリム２・２とブリッジＢにより左右対称に接合されたフレームに、前記両リム２・２の嵌合溝と前記レンズ１・１のヤゲン溝１１との双方に嵌合状態に介装された異形合成樹脂のガイドクッション材３をレンズ１のヤゲン溝に嵌合して、リム２・２の両端に当該レンズ１・１を吊支するバンド４・４とを含んで構成され、これら左右のリム２・２のブリッジB側には箱足Pと一体成形されたレンズ止着部5が接合されており、エンドピース側EにはエンドピースEと一体成形されたレンズ止着部5がリム2に接合されている。そのレンズ止着部5には、横方向に平行に穿設された2ヶ所のバンド嵌挿孔51・52を形成し構成されている。バンド4の先端を箱足PとエンドピースEに接合されているレンズ止着部5のバンド嵌挿孔51の挿入口51ａより挿入し、バンド取り出し口51ｂより取り出して、再び隣接して平行に穿設されているバンド嵌挿孔52の挿入口52ａに挿入して取り出し口52ｂより取り出しバンド止着部側面に添わせた状態で引っ張り、そのバンドの先端を取り出し口51ｂと挿入口52ａにまたがって嵌挿されているバンド4の下をくぐらせてから最後にリムに穿設された縫着孔53に挿通してからバンドを下方Uに引っ張る事によりバンド4が確実にバンド止着部5に嵌着され、且つ、バンド線状部41はレンズ1のバンド溝に嵌まり込んで、レンズ1を吊支している事を特徴とするハーフリム眼鏡のレンズ止着機構。
【請求項２】
箱足PとエンドピースEとは、独立して形成されたレンズ止着部5に一体成形されたアーム5Aにより、リムに穿設された取付孔6に嵌着されて、レンズ1を吊支する事を特徴とする請求項1記載のハーフリム眼鏡のレンズ止着機構。
【請求項３】
レンズ止着部とアームが合成樹脂材料により一体成形されて構成している事を特徴とする、請求項２記載のハーフリム眼鏡のレンズ止着機構。
【請求項４】
上縁にバンド溝、下縁にヤゲン溝を形成し、レンズの下側にリムを配置してレンズ上縁をバンドで支持固定する事を特徴とする、請求項１記載の機能を有するハーフリム眼鏡のレンズ止着機構。
【発明の詳細な説明】
【０００１】
【発明の属する技術分野】
本発明はハーフリム眼鏡の改良であり、更に詳しくはレンズの下縁もしくは上縁を吊支するバンドの強度を従来の方式よりも2倍以上の強度を発揮させる事に成功し、バンドの本来の持てる強度を発揮させる事ができ、より確実に安全にレンズを吊支する事をできるように構成したハーフリム眼鏡のレンズ止着機構に関するものである。
【０００２】
【従来の技術】
最近、眼鏡の軽量化が計られる中、ハーフリム眼鏡よ呼ばれるリムバーの内側に嵌合溝を形成し、この嵌合溝にガイドクッション材を嵌挿させてレンズの上縁のヤゲン溝に介装させ、レンズの下縁をバンドで吊支するものが、軽くてデザイン的にもスッキリとしているために人気が高い。
【０００３】
従来のハーフリム眼鏡のレンズ止着にあっては、両リム両先端部にバンド装着孔を２つずつ形成し、線状のバンドをレンズの下縁のバンド溝に嵌め込み、装着孔にバンドを差し通して装着する事により、リムにレンズを吊支しているものが多くみられる。
【０００４】
しかし、このように両リムの両先端に形成された２つずつの装着孔にバンドを挿通してレンズを吊支する場合、このバンドは鋭角的に何度も折曲され、且つ、レンズ保持の為に高い張力が付加されており、金属製のリムを装着孔の角にあたる事により、バンドにキズがついて使用中において徐々に損傷が進行してついには切断してしまうという不都合が発生した。
【０００５】
【発明が解決しようとする課題】
本発明は、従来のハーフリム眼鏡のレンズ止着機構に前記の如き問題がある事に鑑みて試されたものであり、その目的とするところは、レンズを保持するバンドをキズつける事なく、本来の強度を１００％発揮させて、より確実に安全にレンズを止着できるように構成したレンズ止着機構を提供する事を技術的課題とする。
【０００６】
【課題を解決するための手段】
本発明が上記課題を解決するために試行錯誤を重ねた結果、ハーフリム眼鏡のレンズ止着部において、バンド嵌挿口にバンドを装着するにあたり、バンドにキズがつかないような構造にする事により、解決する事を見出し、この知見に基づいてこの発明を完成させたのである。
【０００７】
即ち、本発明のレンズ止着部5は、横方向に平行して穿設された2ヶ所のバンド嵌挿孔51・52を形成しバンド4の先端をバンド嵌挿孔51のレンズ側挿入口51ａよりバンド4を挿入し、取り出し口51ｂより引っ張り出して、再び隣接して穿設されているバンド嵌挿孔52の挿入口52ａよりバンドを挿入し、取り出し口52ｂよりバンドを引っ張り出して、バンド止着部側面に添わせた状態で引っ張り、そのバンドの先端を取り出し口51ｂと挿入口52ａにまたがって嵌挿されているバンド4の下をくぐらせてから、最後にリムに穿設された縫着孔53に挿通してからバンド4の反対側を下方に引っ張る事により、バンドが確実にバンド止着部5に嵌着され、且つ、バンド線状部41はレンズのバンド溝に嵌まり込んで、レンズを吊支するという技術的手段を採用した。
【０００８】
その事により、従来のハーフリム眼鏡にあったリムに穿設されたバンド縫着孔の角によってバンドがキズつく事を防止する事ができ、更にバンドの上にバンドを重ねて嵌着させる事により、バンド自体がクッションとなりバンド本来の持っている強度を発揮して、切断する事を防ぐという技術的手段を採用した。
【０００９】
更にまた、本発明は上記課題を解決するために必要に応じて上記手段に加え、レンズ止着部を箱足やエンドピースより独立させて、金属または合成樹脂材料により、リムに嵌着させるアーム部5Aと共に一体成形してバンド止着部を構成するという技術的手段を採用した。
【００１０】
【発明の実施の形態】
本発明の実施形態を具体的に図示した図面に基づいて更に詳細に説明する。
【００１１】
図１において符号１で指示するものはレンズであり、このレンズ１は上縁にヤゲン溝１１、略下縁にバンド溝１２が形成されている。
【００１２】
符号２で指示するものはリムであり、超弾性合金で作製し、弧端近傍には後出のレンズ止着部５が一体成形されている。
【００１３】
符号５で指示するものは本発明の特徴であるレンズ止着部５である。レンズのヤゲン溝１１とバンド溝１２と平行して全ての角に面取りを施したバンド嵌挿孔５１・５２が穿設されており、それにバンドを嵌挿する事により、従来の技術にあったリムの金属部に形成されたバンド挿入口の角部分に当たって摩擦するといった事がないのでバンドの本来の強度を発揮する事ができる。
【００１４】
本発明は概ね上記のように構成されるが、本発明は図示の実施形態に限定されるものではない。「特許請求の範囲」の記載内において種々の変更が可能であって、例えば、リムの使用材料は超弾性合金に限らず、その他の金属や合成樹脂材料を採用してもいい。またレンズ止着部の形状においても様々な形状に設計変更してもよく、何れのものも本発明の技術的範囲に属する。
【００１５】
【発明の効果】
以上、実施形態をもって説明したとおり、本発明においてはレンズを吊支するレンズ止着部に形成された2つの嵌挿孔にバンドを嵌通させ、バンドを下方に延出させる事により、リムの装着孔の角に当たってバンドにキズがつき切断してしまう事がなく、バンドの持つ強度を発揮させる事ができる。
【００１６】
また、バンド本来の強度を発揮する事ができるので、今までにあった使用中にバンドが切れる事はない。この事は安全に安心して使用できるという利用価値は頗る高いものがある。
【図面の簡単な説明】
【図1】本発明の実施形態の構造を表す全体斜視図である。
【図2】本発明の実施形態の箱足部分のレンズ止着部分の拡大斜視図である。
【図3】本発明の実施形態のエンドピース部分のレンズ止着部分の拡大斜視図である。
【図4】本発明のレンズ止着部にバンドを装着する手順を示した拡大図である。
【図5】レンズ止着部が、箱足やヨロイ・リムより独立して、金属または合成樹脂材料で成形されている拡大図である。
【図６】従来のハーフリム眼鏡のレンズ止着機構を表わす正面図で、及び、側面図と止着部の拡大図である。
【符号の説明】
１      レンズ
１１    ヤゲン溝
１２    バンド溝
２      リム
３      ガイドクッション材
４      バンド
４１    バンド線状部
５      レンズ止着部
５１    バンド嵌挿
５２    バンド嵌挿孔
５１ａ  バンド挿入口
５１ｂ  バンド取り出し口
５２ａ  バンド挿入口
５２ｂ  バンド取り出し口
５３    バンド縫着孔
５Ａ    レンズ止着部嵌着アーム
６      アーム嵌着孔
B      ブリッジ
T      テンプル
P      箱足
E      エンドピース
Ｕ      バンドを下方に引っ張る
【図１】
2004205612.tif 000003
【図２】
2004205612.tif 000004
【図３】
2004205612.tif 000005
【図４】
2004205612.tif 000006
【図５】
2004205612.tif 000007
【図６】
2004205612.tif 000008